(57)【要約】【課題】本発明の課題はデバイスアドレスの割り当てのための方法を提供することである。【解決手段】上記課題は、ネットワークのサブステーションはポイント・トゥ・ポイントコネクションを介して接続されており、以下のステップ、すなわちメインステーションからサブステーションへ初期化テレグラムを送信し、この初期化テレグラムはデバイスアドレスの一部分を有するステップ、サブステーションの調整された通信アドレスを検出するステップ、デバイスアドレスの受信された部分に依存して及び通信アドレスに依存して完全なデバイスアドレスを生成するステップ、デバイスからメインステーションへ通信アドレス及び／又はデバイスアドレスを含む応答テレグラムを送信するステップを有することによって解決される【選択図】図４
2006067591.tif 000002
【特許請求の範囲】
【請求項１】
ネットワークのサブステーションへのデバイスアドレスの割り当てのための方法において、
前記ネットワークの前記サブステーションはポイント・トゥ・ポイントコネクションを介して接続されており、以下のステップ、すなわち
メインステーションからサブステーションへ初期化テレグラムを送信し、該初期化テレグラムはデバイスアドレスの一部分を有するステップ、
サブステーションの調整された通信アドレスを検出するステップ、
デバイスアドレスの受信された部分に依存して及び通信アドレスに依存して完全なデバイスアドレスを生成するステップ、
デバイスからメインステーションへ通信アドレス及び／又はデバイスアドレスを含む応答テレグラムを送信するステップを有する、ネットワークのサブステーションへのデバイスアドレスの割り当てのための方法。
【請求項２】
初期化テレグラムはさらにＩＰアドレスの一部分を有し、サブステーションの完全なＩＰアドレスはＩＰアドレスの受信された部分によって及び通信アドレスによって生成され、通信アドレス及び／又は完全なＩＰアドレスを含む応答テレグラムがサブステーションからメインステーション（１０）に送信される、請求項１記載の方法。
【請求項３】
サブステーションの完全なＩＰアドレスをＩＰアドレスの予め設定された部分によって及び送信された通信アドレスによってメインステーション（１０）において生成するステップ、
完全なＩＰアドレスを有する確認テレグラムを応答テレグラムの受信に対する応答としてサブステーションに送信するステップを更に有する、請求項１記載の方法。
【請求項４】
ネットワークのためのサブステーション（２）において、
メインステーションから初期化テレグラムを受信するための受信ユニット（３）を有し、
サブステーションの通信アドレスを提供するための通信アドレス提供ユニット（７）を有し、
前記初期化テレグラムからデバイスアドレスの一部分をもとめ、完全なデバイスアドレスをデバイスアドレスの受信された部分に依存して及び通信アドレスに依存して生成するための制御ユニット（５）を有し、
デバイスアドレス及び／又は通信アドレスを含む応答テレグラムを送信するための送信ユニット（４）を有する、ネットワークのためのサブステーション（２）。
【請求項５】
制御ユニット（５）は、初期化テレグラムからさらにＩＰアドレスの一部分をもとめ、完全なＩＰアドレスをＩＰアドレスの受信された部分によって及び通信アドレスによって生成し、送信ユニット（４）は通信アドレス及び／又は完全なＩＰアドレスを含む応答テレグラムを送信するように構成されている、請求項４記載のサブステーション（２）。
【請求項６】
受信ユニット（３）は、さらに、完全なＩＰアドレスを有する確認テレグラムを送信された応答テレグラムに対する応答として受信するように構成されている、請求項５記載のサブステーション（２）。
【請求項７】
ネットワークのためのメインステーション（１０）において、
デバイスアドレスの一部分を提供するためにネットワーク通信及びＩＰ通信チャネルを制御するための制御ユニット（１５）を有し、
初期化テレグラムを送信するための送信ユニット（１２）を有し、前記初期化テレグラムはデバイスアドレスの部分を含み、
通信アドレス及び／又は完全なデバイスアドレスを含む応答テレグラムをＩＰ通信チャネルを介して受信するための受信ユニット（１１）を有する、ネットワークのためのメインステーション（１０）。
【請求項８】
初期化テレグラムにＩＰアドレスの一部分を設けるために制御ユニットは送信ユニット（１２）を制御し、完全なＩＰアドレスを有する確認テレグラムを応答テレグラムの受信に対する応答として受信するように受信ユニットが構成されている、請求項７記載のメインステーション（１０）。
【発明の詳細な説明】
【技術分野】
【０００１】
本発明は、ネットワークのサブステーションへのデバイスアドレスの割り当てのための方法、ネットワークのためのサブステーション及びネットワークのためのメインステーションに関する。より詳しく言えば、本発明はメインステーションによるネットワークのサブステーションへのデバイスアドレスの割り当てのための方法に関する。本発明はさらに例えば自動化技術におけるフィールドバスネットワークのようなネットワークのためのサブステーション及びメインステーションに関する。
【背景技術】
【０００２】
通常はネットワーク内に存在するサブステーションは固定された一意的なデバイスアドレスを有し、デバイスアドレスを介してそれぞれのサブステーションは一意的にアドレス指定可能である。デバイスアドレスは一般にＭＡＣアドレスと呼ばれ、サブステーションのハードウェアに固定的にプログラミングされている。ネットワークの初期化フェーズにおいて個々のサブステーションのデバイスアドレスがメインステーションに通信され、この結果、メインステーションはネットワークの個々のサブステーションに望み通りにアクセスすることができる。さらに、初期化フェーズにおいてＩＰアドレスがネットワークのサブステーションに割り当てられる。これらのＩＰアドレスは手動で定められるか又はＤＨＣＰによって与えられる。
【０００３】
しかし、通常は、サブステーションがユーザによって望み通りにアクセスされる場合には、ＩＰアドレスがもとめられて入力されなければならないか乃至はＩＰアドレスが初期化フェーズの後で各サブステーションに割り当てられなければならない。これは、ユーザがメインステーションにおける割り当て情報を見ることなしにはネットワークのサブステーションのＩＰアドレス乃至はデバイスアドレスを知ることができず、従って所期のアドレス指定を行うことができないという欠点を有する。
【０００４】
リアルタイム通信のためには通常ネットワークにおいてサブステーションの各々に通信アドレスが割り当てられ、通信アドレスを介してデバイスがダイレクトにリアルタイムチャネルにおいてアドレス指定可能である。
【発明の開示】
【発明が解決しようとする課題】
【０００５】
本発明の課題はデバイスアドレスの割り当てのための方法を提供することであり、本発明の更に別の課題は、そのデバイスアドレスが自動的に割り当てられるネットワークのためのサブステーションを提供することであり、さらにネットワークのためのメインステーションを提供することである。
【課題を解決するための手段】
【０００６】
上記課題は、デバイスアドレスの割り当てのための方法において、ネットワークのサブステーションはポイント・トゥ・ポイントコネクションを介して接続されており、以下のステップ、すなわちメインステーションからサブステーションへ初期化テレグラムを送信し、この初期化テレグラムはデバイスアドレスの一部分を有するステップ、サブステーションの調整された通信アドレスを検出するステップ、デバイスアドレスの受信された部分に依存して及び通信アドレスに依存して完全なデバイスアドレスを生成するステップ、デバイスからメインステーションへ通信アドレス及び／又はデバイスアドレスを含む応答テレグラムを送信するステップを有することによって解決され、
上記課題は、ネットワークのためのサブステーションにおいて、メインステーションから初期化テレグラムを受信するための受信ユニットを有し、サブステーションの通信アドレスを提供するための通信アドレス提供ユニットを有し、初期化テレグラムからデバイスアドレスの一部分をもとめ、完全なデバイスアドレスをデバイスアドレスの受信された部分に依存して及び通信アドレスに依存して生成するための制御ユニットを有し、デバイスアドレス及び／又は通信アドレスを含む応答テレグラムを送信するための送信ユニットを有することによって解決され、
上記課題は、ネットワークのためのメインステーションにおいて、デバイスアドレスの一部分を提供するためにネットワーク通信及びＩＰ通信チャネルを制御するための制御ユニットを有し、初期化テレグラムを送信するための送信ユニットを有し、初期化テレグラムはデバイスアドレスの部分を含み、通信アドレス及び／又は完全なデバイスアドレスを含む応答テレグラムをＩＰ通信チャネルを介して受信するための受信ユニットを有することによって解決される。
【発明を実施するための最良の形態】
【０００７】
本発明の更に別の有利な実施形態は従属請求項に記載されている。
【０００８】
本発明の第１の局面によれば、ネットワークにおいてサブステーションにデバイスアドレスを割り当てるための方法が設けられる。ネットワークのサブステーションはポイント・トゥ・ポイントコネクションを介して接続されている。本発明の方法は以下のステップを有し、すなわちメインステーションからサブステーションへ初期化テレグラムを送信し、この初期化テレグラムはデバイスアドレスの一部分を有するステップ、リアルタイム通信のためにサブステーションの調整された通信アドレスを検出するステップ、デバイスアドレスの受信された部分によって及び通信アドレスによって完全なデバイスアドレスを生成するステップ、サブステーションからメインステーションへ通信アドレス及び／又はデバイスアドレスを含む応答テレグラムを送信するステップを有する。
【０００９】
本発明の方法の目的は、サブステーションにデバイスアドレスを割り当てること及びデバイスアドレスをサブステーションにおいてもメインステーションにおいても分かるようにすることである。原理的にはデバイスアドレスは予め決定された範囲において自由に調整可能であるが、デバイスアドレスは、ユーザがデバイスアドレスの部分の知識及び調整可能な通信アドレスの知識においてデバイスアドレスをもとめることができるように調整される。よって、例えばデバイスアドレスが複数バイトを有し、これらの複数バイトのうちの一部分がユーザに知られている。さらに、リアルタイム通信のための通信アドレスは例えば手動でサブステーションにおいて調整可能であり、この結果、ユーザに知られているデバイスアドレスの部分及び同様に知られている通信アドレスが一緒になってサブステーションの完全なデバイスアドレスを形成する。こうして、所定のサブステーションに適合するデバイスアドレスを見出すためのデバイスアドレスに対する物理的なサブステーションの割り当てリストを有しているメインステーションにユーザがまず最初にアクセスする必要が無くなる。
【００１０】
とりわけイーサネットネットワーク標準（プロトコル、ネットワークトポロジ及びハードウェア）との関連においてスイッチドネットワーク（スイッチドイーサネットSwitched Ethernet）及び増幅器（リピータ）を有するネットワークが公知である；スイッチドイーサネットテクノロジを有するネットワークはスイッチドネットワークとも呼ばれる。本発明はあらゆるタイプのこのようなネットワークに対して、すなわちスイッチングされる及び／又はスイッチングされない、リピータによって構成されたネットワークに対してイーサネット標準によって使用されうる。
【００１１】
本発明の更に別の実施形態によれば、初期化テレグラムはさらにＩＰアドレスの一部分を有する。サブステーションの完全なＩＰアドレスはＩＰアドレスの受信された部分によって及び通信アドレスによって生成される。通信アドレス及び／又は完全なＩＰアドレスを含む応答テレグラムがサブステーションからメインステーションに送信される。従って、完全なＩＰアドレスはＩＰアドレスの部分及び調整される通信アドレスからメインステーション又はサブステーションのいずれかにおいて生成されうる。重要なことは、本発明の方法の終了後にはＩＰアドレスはメインステーションにもサブステーションにも存在し、この結果、ＩＰ通信がＩＰ通信チャネルにおいて行われることである。
【００１２】
代替的に、サブステーションの完全なＩＰアドレスの生成がＩＰアドレスの予め設定された部分によって及び送信された通信アドレスによってメインステーションにおいて生成され、この後で、応答テレグラムの受信に対する応答として完全なＩＰアドレスを含む確認テレグラムがメインステーションからデバイスに送信される。
【００１３】
本発明の更に別の局面によれば、ネットワークのためのサブステーションが設けられる。このサブステーションはメインステーションから初期化テレグラムを受信するための受信ユニットを有する。デバイスナンバー提供ユニットによってサブステーションの通信アドレスが提供される。さらに初期化テレグラムからデバイスアドレスの一部分をもとめ、完全なデバイスアドレスをデバイスアドレスの受信された部分に依存して及び通信アドレスに依存して生成するための制御ユニットが設けられる。送信ユニットによってデバイスアドレス及び／又は通信アドレスを含む応答テレグラムが送信される。こうしてサブステーションがネットワークのために使用され、このネットワークは調整される乃至は調整可能な通信アドレスによってデバイスアドレスを定める。デバイスアドレスの生成はサブステーション内で行われ、次いで送信ユニットによって応答テレグラムにおいてメインステーションに送信される。
【００１４】
本発明の更に別の実施形態によれば、制御ユニットは、初期化テレグラムからさらにＩＰアドレスの一部分をもとめ、完全なＩＰアドレスをＩＰアドレスの受信された部分によって及び通信アドレスによって生成する。送信ユニットは通信アドレス及び／又は完全なＩＰアドレスを含む応答テレグラムを、サブステーションが完全なＩＰアドレスを生成すべきか又はメインステーションが完全なＩＰアドレスを生成すべきかに依存して送信するように構成されている。応答テレグラムが通信アドレスのみを含む場合には、受信ユニットは、完全なＩＰアドレスを有する確認テレグラムを送信された応答テレグラムに対する応答として受信するように構成される。
【００１５】
本発明のさらに別の局面によれば、デバイスアドレスの一部分を提供するための制御ユニットを有するネットワークのためのメインステーションが設けられる。さらにメインステーションは初期化テレグラムを送信するための送信ユニットを有し、この初期化テレグラムはデバイスアドレスの部分を含む。さらに通信アドレス及び／又は完全なデバイスアドレスを含む応答テレグラムを受信するための受信ユニットが設けられている。
【００１６】
本発明の更に別の実施形態によれば、初期化テレグラムにＩＰアドレスの一部分を設けるために制御ユニットは送信ユニットを制御する。さらに、完全なＩＰアドレスを有する確認テレグラムを応答テレグラムの受信に対する応答として受信するように受信ユニットが構成されている。
【実施例】
【００１７】
本発明の有利な実施例を以下において添付した図面に基づいて詳しく説明する。
【００１８】
図１はネットワークの可能なネットワークトポロジを示し、
図２は図１のネットワークのためのサブステーションのブロック回路図を示し、
図３は図１のネットワークのためのメインステーションのブロック回路図を示し、
図４は図１のネットワークにおいてサブステーションでデバイスアドレスを自動的に提供するための本発明の方法を説明するためのフローチャートを示し、
図５は更に別の実施形態によるデバイスアドレスの自動的な提供のための本発明の方法を説明するためのフローチャートを示す。
【００１９】
図１にはリングネットワークが図示されており、このリングネットワークはメインステーション１及び複数のサブステーション２を有する。各サブステーション２はデータ入力側及びこれとは別個のデータ出力側を有し、これらのデータ出入力側は中間増幅器を介して互いに接続される。ネットワークコネクションによってネットワーク加入者は互いに接続されており、これらのネットワークコネクションにおいて２つの通信チャネルが実現される。第１の通信チャネル、リアルタイム通信チャネルにおいて、メインステーション１はデータパケットを送信し、第１のデータパケットはサブステーション２に対するデータを含み、データパケットには所定の時間窓が設けられており、これらの所定の時間窓はそれぞれサブステーション２のうちの１つに割り当てられている。所定の時間窓の中のデータはサブステーション２によってデータパケットから読み出される。メインステーション１はリアルタイム通信信号においてさらに第２のデータパケットを送信し、この第２のデータパケットは同様にデータのスペースホルダとして時間窓を有し、それぞれのサブステーション２に割り当てられた時間窓には送信すべきデータが挿入され、このようにして変更された第２のデータパケットは次のネットワーク加入者へと挿入されたデータと共に転送される。最後のサブステーション２はこの場合第２のデータパケットを再びメインステーション１に返送し、この第２のデータパケットはこうしてサブステーション２からメインステーションへと送信されるデータによって充填されている。
【００２０】
更なる通信チャネル、ＩＰ通信チャネルでは、データパケットがメインステーション１ならびにサブステーション２の各データ入力側に印加されていない場合に、ネットワーク加入者の各々、すなわちメインステーション１ならびにサブステーション２がデータパケットを送信することができる。すなわち、ネットワークが使用されなくなるやいなや、ネットワーク加入者のうちの１つがデータを伝達するためにデータパケットを送信することができる。リアルタイム通信チャネル及びＩＰ通信チャネルは２つの時間領域によって形成され、これら２つの時間領域においてそれぞれ相応の通信チャネルが使用され、これがサイクリックに次々と行われる。
【００２１】
リアルタイム通信チャネルにおける通信のために、ネットワークの各サブステーション２に通信アドレスが割り当てられる。通信アドレスはサブステーション２においてそれぞれ手動で調整されるか又は固定的に予め設定されている。このような通信アドレスは例えば１と２５４との間の数であればよく、従って、１バイトの形式において示されうる。
【００２２】
ＩＰ通信チャネルのためには、サブステーション２の各々にデバイスアドレスが割り当てられなければならない。デバイスアドレスはいわゆるＭＡＣアドレス（メディアアクセスコントロールMedia Access Control）であり、複数バイトを含む。このようなデバイスアドレスは従来のＩＰ通信デバイスでは通常は固定的にハードウェアにおいて調整され、マーケットにおいて使用可能な各ＩＰ通信デバイスに対して一意的である。ここに図示されたフィールドバスデータネットワークでは、サブステーション２にデバイスアドレスが割り当てられなければならない。サブステーション２がＩＰ通信チャネルにおいてデータを送信することもできる場合、さらにサブステーション２にＩＰアドレスも割り当てられなければならない。
【００２３】
図２に示されているように、このようなサブステーション２は受信回路３を有し、この受信回路３はデータ入力側Ｅに接続されており、データをネットワークを介して受信することができる。さらに、データをデータ出力側Ａを介してネットワークに次のネットワークステーションに送信するための送信ユニット４が設けられている。サブステーション２はさらに異なる通信チャネルを動作するための制御ユニット５を有する。受信ユニット３と送信ユニット４との間には中間増幅器８が設けられており、この中間増幅器８はＩＰ通信チャネルの間にデータをデータ入力側からデータ出力側へと送出する。
【００２４】
リアルタイム通信チャネルにおいてデータパケットを受信ユニット３から送信ユニット４に転送するために中間増幅器８が同様に接続されているが、データを相応のデータパケットから抽出し制御ユニット５に供給することならびにデータを制御ユニット５によって転送すべきデータパケットに挿入することもできる。初期化フェーズの間の初期化のためにサブステーション２は初期化テレグラムの受信を予期する。この初期化テレグラムは受信ユニット３から初期化ユニット６に転送される。この初期化ユニット６において受信されたテレグラムからデバイスアドレスの一部分がもとめられ、デバイスアドレスのこの部分と通信アドレス提供ユニット７によって提供される調整された通信アドレスとが互いに結合され、この結果、完全なデバイスアドレスが形成される。完全なデバイスアドレスは例えばデバイスアドレスのこの部分と手動で調整された通信アドレスとの簡単なつなぎ合わせによって決定される。デバイスアドレスのこの部分と通信アドレスとの別の種類の組み合わせも考えられるが、通信アドレスを知っていれば簡単に完全なデバイスアドレスをもとめられるようにユーザがこの組み合わせをあとづけることができると有利である。
【００２５】
完全なデバイスアドレスは初期化ユニット６から送信ユニット４を介してネットワークに応答テレグラムとして送出され、この結果、メインステーション１は当該サブステーション２に割り当てられたデバイスアドレスを知らされる。
【００２６】
同じように初期化テレグラムにＩＰアドレスの一部分を含むことができ、このＩＰアドレスが初期化ユニット６においてリアルタイム通信のための通信アドレスと結合され、一意的である完全なＩＰアドレスが形成される。完全なＩＰアドレスは同様に応答テレグラムにおいて送信ユニット４を介してメインステーション１に送出され、この結果、メインステーション１において完全なＩＰアドレスと当該サブステーション２との間の固定された割り当てが存在することになる。
【００２７】
代替的な実施形態では、初期化ユニット６は通信アドレスを直接送信ユニット４を介してメインステーション１に送信し、この通信アドレスは通信アドレス提供ユニット７によって提供される。この場合、必ずしも初期化テレグラムがデバイスアドレスの部分を含む必要はない。メインステーション１が通信アドレスを受け取るや否や、メインステーションは定められたやり方によって完全なデバイスアドレス及び完全なＩＰアドレスをデバイスアドレスの予め設定された部分及びＩＰアドレスの予め設定された部分によって及び通信された通信アドレスに依存して決定し、これらを確認テレグラムにおいて当該サブステーション２に伝達する。
【００２８】
メインステーションの実施形態は図３に図示されている。メインステーション１０は受信ユニット１１及び送信ユニット１２を有し、これらは相応のネットワーク線路によってサブステーション２に接続されている。メインステーション１０は同様に初期化ユニット１３を有し、この初期化ユニット１３は制御ユニット１５によって制御されて初期化テレグラムを形成し、これを送信ユニット１２を介して送出する。初期化テレグラムはデバイスアドレスの一部分を含み、このデバイスアドレスはサブステーション２によって受信され、そこで調整される通信アドレスの助けによって完全なデバイスアドレスへと処理される。
【００２９】
応答テレグラムとしてメインステーション１０は受信ユニット１１によって完全なデバイスアドレスを受信し、この結果、完全なデバイスアドレスと当該サブステーションとの間の割り当てがメインステーションのメモリ１４において行われうる。同様に、初期化テレグラムはＩＰアドレスの一部分を含み、このＩＰアドレスがサブステーションにおいて完全なものにされ、応答テレグラムを介してメインステーション１０に返送されることも可能である。代替的に、メインステーション１０が完全なデバイスアドレスを応答テレグラムにおいて受信し、これから完全なＩＰアドレスを生成し、確認テレグラムを送信ユニット１２を介して当該サブステーション２に送信することもでき、この結果、そこに同様にこのサブステーション２に割り当てられる一意的なＩＰアドレスが存在する。
【００３０】
図４において本発明の方法を説明するためのフローチャートが図示されている。本発明の方法はネットワーク、例えば自動化技術のためのフィールドバスネットワークにおける初期化とデバイスアドレス及びＩＰアドレスの割り当てに関する。初期化のために、メインステーションは初期化テレグラムを送信し、この初期化テレグラムはデバイスアドレスの一部分及び／又はＩＰアドレスの一部分を含み、この初期化テレグラムはサブステーションによって受信される。サブステーションはまず最初にリアルタイム通信のための調整された通信アドレスを検出し、これから完全なデバイスアドレスならびに完全なＩＰアドレスを生成する。次いで完全なデバイスアドレス及び完全なＩＰアドレスを有する応答テレグラムがサブステーションからメインステーションへ送信される。これによって完全なデバイスアドレス及び完全なＩＰアドレスがサブステーションにもメインステーションにも存在し、この結果、メインステーションにおいて当該サブステーションと完全なデバイスアドレス及び完全なＩＰアドレスとの間の割り当てが存在することになる。
【００３１】
代替的な方法は図５に図示されている。ここでは初期化テレグラムがメインステーションから送信され、これによってサブステーションは、そこで調整される通信アドレスを検出し、これを応答テレグラムにおいてメインステーションに送信することを要求される。次いで、メインステーションにおいて完全なデバイスアドレス及び完全なＩＰアドレスがそこにあるデバイスアドレスの部分及びＩＰアドレスの部分及び伝達された通信アドレスに依存して生成され、続いて完全なデバイスアドレス及び完全なＩＰアドレスを有する確認テレグラムが当該サブステーションに送信される。
【００３２】
本発明の更なる実施形態によれば、通信アドレスの代わりにＩＰアドレスも固定的に予め設定することが、例えば手動で調整することができ、これからリアルタイム通信のための通信アドレスが導出される。この場合、通信アドレスはＩＰアドレスに相応し、完全なＩＰアドレスは固定的に予め設定されるＩＰアドレスによって決定される。
【００３３】
例えばリアルタイム通信チャネルの通信アドレスとして５が調整されるならば、１つの例ではデバイスアドレス及びＩＰアドレスも同様に５で終了し、例えばＩＰアドレスとして１９２．１６８．０．５である。従って、ＩＰアドレスの最初の３バイトが初期化テレグラムによってメインステーションからサブステーションに送信され、この結果、２５５個の異なるＩＰアドレスが与えられうる。
【００３４】
任意に、アドレスのタイムアウトに関する取り決めが可能であり、この結果、サブステーションの動作中でもそのアドレスの習得された部分は可変的である。
【００３５】
代替的に、上記のデータネットワークのサブステーション２の各々に本発明の初期化方法によってデバイスアドレス及びＩＰアドレスが割り当てられうるが、デバイスアドレス及びＩＰアドレスが例えば入力ユニットによって固定的にプリセット可能であり、この入力ユニットにこれらのアドレスが入力されうるように構成することもできる。
【００３６】
データネットワークにおいて通常リザーブされるＩＰアドレスに関して取り決めがなされていた場合、メインステーションがこのサブステーション自体と同一のＩＰアドレスを有するかどうかをサブステーションがさらに検査することができる。メインステーションが同一のアドレスを有しているとこのサブステーションが識別する場合には、このサブステーションはリザーブされた領域から取り出される新しいＩＰアドレスを使用する。
【図面の簡単な説明】
【００３７】
【図１】ネットワークの可能なネットワークトポロジを示す。
【図２】図１のネットワークのためのサブステーションのブロック回路図を示す。
【図３】図１のネットワークのためのメインステーションのブロック回路図を示す。
【図４】図１のネットワークにおいてサブステーションでデバイスアドレスを自動的に提供するための本発明の方法を説明するためのフローチャートを示す。
【図５】更に別の実施形態によるデバイスアドレスの自動的な提供のための本発明の方法を説明するためのフローチャートを示す。
【符号の説明】
【００３８】
１  メインステーション
２  サブステーション
３  受信ユニット
４  送信ユニット
５  制御ユニット
６  初期化ユニット
７  通信アドレス提供ユニット
８  中間増幅器
１０  メインステーション
１１  受信ユニット
１２  送信ユニット
１３  初期化ユニット
１４  メモリ
１５  制御ユニット
【図１】
2006067591.tif 000003
【図２】
2006067591.tif 000004
【図３】
2006067591.tif 000005
【図４】
2006067591.tif 000006
【図５】
2006067591.tif 000007